(57)【要約】【課題】被撮影者の目の位置を規定範囲内に収めた撮影画像を提供する。【解決手段】写真撮影装置１００では、制御部１１において、操作部６０を介して指定された目の位置が規定範囲内となるように撮影画像の位置を移動後、その位置を固定して顔画像についての規定サイズとなるように撮影画像のサイズを可変する。【選択図】図２
2006304159.tif 000002
【特許請求の範囲】
【請求項１】
被撮影者を撮影し、その撮影画像をプリント出力する写真撮影装置において、
前記撮影画像における被撮影者の頭頂部、目、下顎部の位置を指定操作するための操作手段と、
前記操作手段を介して指定された目の位置が、目の位置についての規定範囲に収まるように、前記撮影画像の位置を移動させる位置調整手段と、
前記移動された撮影画像の位置を固定して、前記指定された下顎部から頭頂部までの長さが規定サイズとなるように、前記撮影画像に拡大処理又は縮小処理を行うサイズ調整手段と、
を備えることを特徴とする写真撮影装置。
【請求項２】
前記位置調整手段は、前記指定された頭頂部から目、目から下顎部までの長さの比率を求め、目の位置の規定範囲内で、かつ当該比率に応じた位置に目の位置が一致するように撮影画像を移動させることを特徴とする請求項１に記載の写真撮影装置。
【請求項３】
前記位置調整手段は、前記頭頂部から目に対する目から下顎部までの長さの比率が予め定められた範囲を超える場合には、目の位置についての規定範囲の下限値側に撮影画像における被撮影者の目が位置するように、撮影画像を移動させることを特徴とする請求項２に記載の写真撮影装置。
【請求項４】
前記位置調整手段は、前記頭頂部から目に対する目から下顎部までの長さの比率が予め定められた範囲を下回る場合には、目の位置についての規定範囲の上限値側に撮影画像における被撮影者の目が位置するように、撮影画像を移動させることを特徴とする請求項２に記載の写真撮影装置。
【発明の詳細な説明】
【技術分野】
【０００１】
本発明は、パスポートや履歴書等に使用される証明写真や、ポートレート、記念写真等を撮影する写真撮影装置に関する。
【背景技術】
【０００２】
免許証やパスポート、履歴書等に貼付する証明写真等を撮影するためのボックス型の写真撮影装置が普及しており、街頭や店頭に設置されている。このような写真撮影装置では、撮影ボックス内に顧客が入り、ガイドに従って顧客自らが撮影操作を行うことにより、簡単にかつ短時間でプリント写真を得ることができる。
【０００３】
パスポート用の写真等では、顔のサイズ等が規定されている。そのため、従来から写真撮影装置では、撮影された画像において顧客に頭頂部、下顎部の位置を指定させ、その指定された位置を元に頭頂部から下顎部までの顔画像が規定サイズとなるように自動的に撮影画像を拡大／縮小する処理を行っていた（例えば、特許文献１参照）。
【特許文献１】特開２００３−１８９２９６号公報
【発明の開示】
【発明が解決しようとする課題】
【０００４】
近年の証明写真では、顔のサイズだけでなく、目の位置も規定されるようになっている。その一方で、被撮影者の髪型も多様化しており、従来のように顔画像のサイズに合わせて拡大／縮小処理を行うだけでは目の位置が規定範囲内に収まらないケースも生じてきた。例えば、ボリュームのある広がった髪型等の場合、従来のように頭頂部から下顎部までの顔画像のサイズが規定サイズとなるように撮影画像を縮小すると、目の位置が下側に下がってしまうこととなる。そのため、単に頭頂部と下顎部の位置入力だけでは、目の位置が規定の範囲に収まらないという問題が生じる。
【０００５】
本発明の課題は、被撮影者の目の位置を規定範囲内に収めた撮影画像を提供することである。
【課題を解決するための手段】
【０００６】
請求項１に記載の発明は、
被撮影者を撮影し、その撮影画像をプリント出力する写真撮影装置において、
前記撮影画像における被撮影者の頭頂部、目、下顎部の位置を指定操作するための操作手段と、
前記操作手段を介して指定された目の位置が、目の位置についての規定範囲に収まるように、前記撮影画像の位置を移動させる位置調整手段と、
前記移動された撮影画像の位置を固定して、前記指定された下顎部から頭頂部までの長さが規定サイズとなるように、前記撮影画像に拡大処理又は縮小処理を行うサイズ調整手段と、
を備えることを特徴とする。
【０００７】
請求項２に記載の発明は、請求項１に記載の写真撮影装置において、
前記位置調整手段は、前記指定された頭頂部から目、目から下顎部までの長さの比率を求め、目の位置の規定範囲内で、かつ当該比率に応じた位置に目の位置が一致するように撮影画像を移動させることを特徴とする。
【０００８】
請求項３に記載の発明は、請求項２に記載の写真撮影装置において、
前記位置調整手段は、前記頭頂部から目に対する目から下顎部までの長さの比率が予め定められた範囲を超える場合には、目の位置についての規定範囲の下限値側に撮影画像における被撮影者の目が位置するように、撮影画像を移動させることを特徴とする。
【０００９】
請求項４に記載の発明は、請求項２に記載の写真撮影装置において、
前記位置調整手段は、前記頭頂部から目に対する目から下顎部までの長さの比率が予め定められた範囲を下回る場合には、目の位置についての規定範囲の上限値側に撮影画像における被撮影者の目が位置するように、撮影画像を移動させることを特徴とする。
【発明の効果】
【００１０】
請求項１に記載の発明によれば、被撮影者の撮影位置や髪型によらず、常に目の位置及び頭頂部から下顎部までの顔画像のサイズが規定範囲内となるプリント写真を提供することができる。
【００１１】
請求項２に記載の発明によれば、規定範囲内で、かつ被撮影者の髪型等に応じた位置に撮影画像を移動させることができる。よって、規定を満たしつつ、さらにプリントの最適化を行うことが可能となる。
【００１２】
請求項３に記載の発明によれば、比率が所定範囲を超えた場合、つまり被撮影者の頭上の毛髪領域の割合が大きい場合には、規定範囲の下限値側に寄せることにより、その後の拡大処理又は縮小処理により、顔画像の一部がプリント範囲外となることを防止することができる。
【００１３】
請求項４に記載の発明によれば、比率が所定範囲を下回る場合、つまり被撮影者の頭上の毛髪領域の割合が小さい場合には、規定範囲の上限値側に寄せることにより、その後の拡大処理又は縮小処理により、顔画像の一部がプリント範囲外となることを防止することができる。
【発明を実施するための最良の形態】
【００１４】
まず、構成を説明する。
図１に、本実施形態における写真撮影装置１００を示す。
図１に示すように、写真撮影装置１００はボックス型に形成されており、その外壁にはプリントされた写真を取り出す取出口７１が設置されている。また、ボックス内部（以下、撮影室という）には、回転により昇降可能に構成された、被撮影者Ｍ用の椅子Ｃが設置されている。さらに、被撮影者Ｍの正面には、操作手順やその他撮影に関する操作画面、撮影画像等を表示する表示部４０、操作指示するための操作部６０、被撮影者Ｍである顧客が撮影室内に入室したことを検出するためのセンサＳ、撮影料金を精算するためのコインメック５０等が設置されている。
【００１５】
図２に、写真撮影装置１００の内部構成を示す。
図２に示すように、写真撮影装置１００は、本体部１０、ストロボユニット２０、デジタルカメラ３０、表示部４０、コインメック５０、操作部６０、プリンタ部７０、通信部８０、センサＳを備えている。
【００１６】
本体部１０は、制御部１１、Ｉ／Oコントロール１２、ＲＯＭ（Read Only Memory）１３、ＲＡＭ（Random Access Memory）１４、ＨＤＤ（Hard Disc Drive）１５、Ｉ／Ｆ１６から構成されており、Ｉ／Ｏコントロール１２を介してストロボユニット２０、コインメック５０、操作部６０に接続されるとともに、Ｉ／Ｆ１６を介してプリンタ部７０に接続されている。
【００１７】
制御部１１は、ＲＯＭ１３に記憶されている撮影プリント処理（図３参照）等の各種制御プログラムをＲＡＭ１４に展開し、当該プログラムとの協働により、各種演算を行うとともに各部の動作を集中制御し、位置調整手段及びサイズ調整手段を実現する。また、制御部１１は、画像処理プログラムとの協働により、撮影画像に対し、階調変換処理、鮮鋭性強調処理、トリミング、サイズ調整等の各種画像処理を施す画像処理機能を有している。
【００１８】
Ｉ／Ｏコントロール１２は、本体部１０と、ストロボユニット２０、コインメック５０及び操作部６０との間で情報のやりとりを仲介するインターフェイスであり、制御部１１からの制御信号をストロボユニット２０、コインメック５０に送信するとともに、操作部６０からの操作信号を制御部１１に送信する。
【００１９】
ＲＯＭ１３は、各種制御プログラム、プログラムで必要なパラメータ、プログラムで処理された処理結果等を記憶している。
【００２０】
ＲＡＭ１４は、制御部１１によって実行される各種制御プログラム及びこれらプログラムに係るデータを一時的に記憶するワークエリアを形成する。また、ＲＡＭ１４は、デジタルカメラ３０により撮影された撮影画像の画像データを一時的に記憶するエリアを有する。
【００２１】
ＨＤＤ１５は、デジタルカメラ３０により撮影された撮影画像（原画像）の画像データを記憶するとともに、制御部１１により各種画像処理が施された処理画像の画像データを記憶する。
また、料金案内、プリント条件の設定等の各種操作画面の画像データを記憶するとともに、各操作画面におけるガイドアナウンス音声の音データを記憶している。
【００２２】
Ｉ／Ｆ１６は、本体部１０と、プリンタ部７０との間で情報のやり取りを仲介するインターフェイスであり、制御部１１で生成されたプリントデータを本体部１０からプリンタ部７０へ送信する。
【００２３】
ストロボユニット２０は、制御部１１からの制御信号に従って、撮影室内の各部に設置されたストロボ２０ａの発光タイミングや発光量を制御する。
【００２４】
デジタルカメラ３０は、光学レンズ、ＣＣＤ（Charge Coupled Device）等の光学セン
サ、Ａ／Ｄ変換部等から構成される撮影手段であり、光学レンズを介して入力される被写体像を光学センサにより光電変換して画像信号を生成する。そして、Ａ／Ｄ変換部によりアナログ画像信号からデジタル画像データを得て、当該デジタル画像データを本体部１０に出力する。なお、デジタルカメラに代えて動画を記録可能なデジタルビデオカメラを撮影手段として適用することとしてもよい。
【００２５】
表示部４０は、ＬＣＤ（Liquid Crystal Display）等を備えて構成される表示手段であり、制御部１１の指示に従って操作画面を表示したり、撮影画像のプレ表示を行う。
【００２６】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返金口に排出する。
【００２７】
スピーカ５５は、入力される音データに基づいてガイドアナウンス音声等を出力する音出力手段である。
【００２８】
操作部６０は、表示部４０と一体的に構成されるタッチパネルや、撮影室の内壁に設けられた選択ボタン、撮影ボタン等の各種機能ボタンを備えて構成される操作手段であり、押下されたボタンに対応する操作信号を制御部１１に出力する。
【００２９】
プリンタ部７０は、制御部１１から入力されるプリントデータに基づいてプリント出力を行うプリント手段である。本実施形態では、プリント方式として、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３０】
通信部８０は、ネットワークインターフェイスカード、モデム等の通信用インターフェイスから構成される通信手段であり、通信ネットワーク上の外部機器と相互に情報の送受信を行う。例えば、他の写真撮影装置に画像データを転送してプリント出力させたり、ホストサーバに画像データを転送して画像登録したりすることができる。
【００３１】
センサＳは、顧客が撮影室に入室したことを検出するものであり、顧客の入室を検出するとその検出信号を制御部１１に出力する。センサＳとしては、発光器と受光器とからなる光学式センサ等が適用可能である。
【００３２】
次に、本実施形態における写真撮影装置１００の動作について説明する。
写真撮影装置１００では、センサＳにより顧客が撮影室内に入室したことが検出されると、撮影料金の料金ガイドを行う操作画面が表示部４０に表示される。そして、顧客によりコインメック５０に撮影料金が投入されると、図３に示す撮影プリント処理が実行される。
【００３３】
図３に示す撮影プリント処理では、写真種を選択するための操作画面ｄ１（図４（ａ）参照）が表示部４０に表示される（ステップＳ１）。写真種は、図４（ａ）に示すように、免許証、パスポート、履歴書、大型の４種が選択的に表示される。顧客は、操作部６０を介して所望の写真種の選択操作を行う。ここでは、規定されているパスポートの写真種が選択されたこととする。
【００３４】
パスポートの写真種が選択されると、写真撮影装置１００では、パスポート操作メニューに切り替えられ、パスポート写真のプリントは規定に合わせたサイズや画像位置の調整が必要なため、時間を要する旨のメッセージが表示部４０に表示される。そして、顧客によりその旨承認する操作が行われると、写真撮影装置１００では撮影操作についての操作画面（図示せず）が表示部４０に表示される。
【００３５】
次いで、顧客により撮影ボタンの押下操作が行われると、写真撮影装置１００ではストロボユニット２０の制御によりストロボ２０ａが発光されるとともに、デジタルカメラ３０において撮影が行われる（ステップＳ３）。撮影後、その撮影画像のデータが生成されると、制御部１１において確認表示用に撮影画像の拡大／縮小処理、トリミング等が行われ、図４（ｂ）に示すように、画像サイズ及び画像位置を調整するための操作画面ｄ２上に表示される（ステップＳ４）。
【００３６】
操作画面ｄ２では、表示された確認用の撮影画像上に頭頂部、目、下顎部の位置合わせを行うための３つのラインＬ１〜Ｌ３が表示される。このラインＬ１〜Ｌ３は、操作部６０を介して上下に移動可能に表示されており、顧客はこれらのラインＬ１〜Ｌ３の移動操作を行って撮影画像における頭頂部、目、下顎の位置を指定する。なお、ここでいう頭頂
部とは、頭部ではなく毛髪の先端部分である。
【００３７】
そして、操作部６０を介して顧客によりラインＬ１〜Ｌ３が設定され、頭頂部、目、下顎部分の各位置が指定されると、制御部１１において、撮影画像の上下方向における頭頂部、目、下顎部分の位置が認識され、頭頂部から目に対する目から下顎部までの長さの比率が算出される（ステップＳ５）。次いで、制御部１１により、算出された比率から撮影画像の毛髪タイプが判別される（ステップＳ６）。
【００３８】
以下、毛髪タイプの判別方法について説明する。
毛髪タイプは、撮影画像において被撮影者の頭部上方を占める毛髪領域の程度を示す分類である。下顎部から目、目から頭頂部までの長さは被撮影者によって固有であるが、各長さの一般的な比率の範囲は統計により分かっている。しかし、頭部上方における毛髪量が多い場合には、下顎部から目の長さに対して目から頭頂部までの長さが極端に大きくなる。よって、本実施形態では、下顎部から目、目から頭頂部までの長さの比率が統計学的に一般的な範囲に該当すれば標準タイプ、標準の範囲を超えれば多毛髪タイプ、標準の範囲を下回れば少毛髪タイプの３種類に分類する。
【００３９】
ここで、図５に示すように、頭頂部から目までの長さをｃ１、目から下顎までの長さをｃ２とすると、頭頂部から目、目から下顎までの比率は、ｃ１／ｃ２で示される。この求めたｃ１／ｃ２の値が例えば「１．２−０．８」の範囲内であれば、標準タイプと判別し、ｃ１／ｃ２の値が「０．８」を下回り、ｃ１に対してｃ２の割合が大きい場合は少毛髪タイプ、「１．２」を超え、ｃ２に対してｃ１の割合が非常に大きくなる場合は多毛髪タイプと判別する。なお、毛髪タイプを判別するためのｃ１／ｃ２の数値範囲は、予め統計により求めて判別パラメータとしてＲＯＭ１３に設定しておくこととする。
【００４０】
このように、毛髪タイプが判別されると、パスポート写真の規定に合わせて、毛髪タイプに応じて画像サイズ及び画像位置の調整が行われる。なお、パスポート写真は、顔画像のサイズがプリント範囲の上下方向の長さに対して７０％〜８０％、目の位置がプリント範囲の上下方向の長さに対して、プリント範囲の下限から５０％〜７０％の範囲内となるように規定がなされているとして、以下に画像サイズ及び画像位置の調整方法について説明する。
【００４１】
制御部１１により多毛髪タイプと判別された場合（ステップＳ６；多毛髪）、プリント範囲の上下方向の長さを１００％としたときに、撮影画像中の目の位置がプリント範囲の下限から５０％の位置となるように、撮影画像の位置が移動される（ステップＳ７）。そして、その目の位置を固定した状態で、頭頂部から下顎部までの長さがプリント範囲の上下方向の長さに対して７０〜８０％となるように撮影画像に拡大／縮小処理が施される（ステップＳ９）。
【００４２】
ステップＳ７の処理について、図６（ａ）に示すような撮影画像ｇ１が得られていた場合を例に説明する。図中、頭頂部から目までの長さをｃ１、目から下顎部までの長さをｃ２、プリント範囲の下限から目までの長さをｂで示し、プリント範囲の上下方向における長さ（上限から下限までの長さ）をａとする。
【００４３】
多毛髪タイプの場合、撮影画像中の頭部上方を占める毛髪領域の割合が多く、単に頭頂部から下顎部までの長さ（ｃ１＋ｃ２）が０．７ａ〜０．８ａとなるように拡大／縮小すると、目の位置が規定の範囲内とならない場合がある。例えば、（ｃ１＋ｃ２）が０．７ａとなるように縮小した場合、目の位置が下がり、プリント範囲の下限から４０％の位置になる場合がある。
よって、本実施形態では、まず目の位置を規定の範囲内で固定した後に、その目の位置
を中心に拡大／縮小処理を行う。
【００４４】
図６（ａ）の例では、プリント範囲内に頭頂部が含まれるように、目の位置を規定範囲の下限値、つまりプリント範囲の下方から０．５ａの位置に設定し、この設定位置に目の位置が一致するように制御部１１により撮影画像が移動される。その後、頭頂部から下顎部までの長さ（ｃ１＋ｃ２）が０．７ａ〜０．８ａとなるように撮影画像に拡大／縮小処理が施され、図６（ｂ）に示す撮影画像ｇ２が生成される。図６（ｂ）において、画像を囲む枠はプリント範囲を示す。このようにして、撮影画像の位置及びサイズの調整が行われると、ステップＳ９の処理に移行する。
【００４５】
一方、少毛髪タイプと判別された場合（ステップＳ６；少毛髪）、撮影画像において被撮影者の頭上の毛髪部分が占める割合が少ない。よって、制御部１１により、撮影画像中の目の位置がプリント範囲の下方から７０％の位置となるように、撮影画像の位置が移動される（ステップＳ８）。そして、その目の位置を固定した状態で、頭頂部から下顎部までの長さがプリント範囲の上下方向の７０〜８０％となるように撮影画像に拡大／縮小処理が施され（ステップＳ９）、ステップＳ１０の処理に移行する。
【００４６】
例えば、図７（ａ）に示すような撮影画像ｇ３が得られていた場合、目の位置を規定範囲の上限値、つまりプリント範囲の下方から０．７ａの位置に設定し、この設定位置に目の位置が一致するように制御部１１により撮影画像が移動される。その後、頭頂部から下顎部までの長さ（ｃ１＋ｃ２）が０．７ａ〜０．８ａとなるように撮影画像に拡大／縮小処理が施され、図７（ｂ）に示す撮影画像ｇ４が生成される。なお、図７（ｂ）中、画像を囲む枠はプリント範囲を示す。
【００４７】
また、標準タイプと判別された場合（ステップＳ６；標準）、上記のような目の位置設定は行われず、頭頂部から下顎部までの長さ（ｃ１＋ｃ２）が０．７ａ〜０．８ａとなるように撮影画像に拡大／縮小処理が施され、処理画像が生成される（ステップＳ９）。
【００４８】
このようにして、撮影画像の位置及びサイズの調整が行われると、処理後の撮影画像が確認用として図８（ａ）に示す操作画面ｄ３上に表示される（ステップＳ１０）。操作画面ｄ３では、表示された撮影画像の位置及びサイズをさらに顧客が微調整することが可能であり、操作部６０を介してその位置の移動量、移動方向及び拡大／縮小率を入力することができる。
【００４９】
写真撮影装置１００では、操作部６０を介して撮影画像の位置移動又は拡大／縮小が指示操作されると、制御部１１によりその操作に応じて撮影画像の移動又は拡大／縮小処理が行われ、その処理画像が再度操作画面ｄ３上に表示される（ステップＳ１１）。なお、微調整可能な移動量、拡大／縮小率の範囲が定められており、この範囲を超えての操作は無効とするものとする。
【００５０】
微調整後に、その調整結果を承認する旨の操作指示が操作部６０を介してなされると、図８（ｂ）に示す操作画面ｄ４が表示部４０に表示される。操作画面ｄ４では、微調整された撮影画像とともに、この画像でプリントする旨のメッセージが表示される。
【００５１】
そして、操作画面ｄ４において、プリント指示の操作がなされると、制御部１１により撮影画像がプリントフォーマット上に合成されたプリントデータが生成され、当該プリントデータに基づいてプリンタ部７０によりプリント出力が行われると（ステップＳ１２）、本処理を終了する。
【００５２】
以上のように、本実施形態によれば、まず目の位置を規定範囲内となるように設定した
後、その設定位置を固定して顔画像についての規定サイズとなるように撮影画像のサイズを可変するので、被撮影者の髪型によらず、常に顔画像のサイズや目の位置が規定範囲内となる証明写真をプリント出力することができる。また、撮影位置が上方、或いは下方に偏っている場合でも、本実施形態によれば顔画像のサイズや目の位置を規定範囲内とすることができる。
【００５３】
また、頭頂部から目、目から下顎部までの長さの比率から毛髪タイプを判断し、多毛髪タイプの場合、つまり頭部上方の毛髪領域の割合が大きい場合には、被撮影者の目の位置を、目の位置についての規定範囲の下限値まで撮影画像の位置を移動し、少毛髪タイプの場合、つまり頭部上方の毛髪領域の割合が小さい場合には、規定範囲の上限値まで撮影画像の位置を移動するので、頭部上方の毛髪領域の割合に応じてプリント範囲内に顔画像全体が含まれるように位置設定を行うことができる。
【００５４】
なお、本実施形態における写真撮影装置１００は、本発明を適用した一例であり、これに限定されるものではない。
上記説明では、多毛髪タイプの場合、目の位置についての規定範囲の下限値５０％に位置合わせを行い、少毛髪タイプの場合、規定範囲の上限値７０％に位置合わせを行うこととしたが、下限値や上限値に一致させる必要はない。例えば、多毛髪タイプの場合は目の位置をプリント範囲の下限から５５％、少毛髪タイプの場合は６５％とする等、目の位置に対する規定範囲の下限値や上限値に近い値としてもよい。
【図面の簡単な説明】
【００５５】
【図１】本実施形態における写真撮影装置を示す図である。
【図２】図１の写真撮影装置の内部構成を示す図である。
【図３】写真撮影装置により実行される撮影プリント処理を説明するフローチャートである。
【図４】撮影プリント処理において表示される操作画面例を示す図である。
【図５】頭頂部から目、目から下顎部までの長さの比率に対する毛髪タイプの分類例を示す図である。
【図６】多毛髪タイプの場合における撮影画像の位置制御及び拡大／縮小処理例を示す図である。
【図７】少毛髪タイプの場合における撮影画像の位置制御及び拡大／縮小処理例を示す図である。
【図８】撮影プリント処理において表示される操作画面例を示す図である。
【符号の説明】
【００５６】
１００    写真撮影装置
１１    制御部
４０    表示部
７０    プリンタ部
【図１】
2006304159.tif 000003
【図２】
2006304159.tif 000004
【図３】
2006304159.tif 000005
【図４】
2006304159.tif 000006
【図５】
2006304159.tif 000007
【図６】
2006304159.tif 000008
【図７】
2006304159.tif 000009
【図８】
2006304159.tif 000010